(57)【特許請求の範囲】
【請求項１】
乗かごの停止、走行制御、かごドアの開閉制御を行うエレベータ制御装置を備えたエレベータの乗かごの天井部に設けられ、前記乗かご内を照らす複数個のＬＥＤを有するＬＥＤ照明部を備えたエレベータの乗かご照明装置において、
前記ＬＥＤ照明部は、複数個の白色ＬＥＤと、複数個の青色ＬＥＤとを含むものから成り、
前記ＬＥＤ照明部の前記白色ＬＥＤと前記青色ＬＥＤとを選択的に切り替えて点灯させる照明光切替装置を備え、
前記照明光切替装置は、
前記乗かご内に設けたカメラの映像信号から乗客の異常行動を監視する異常行動検知装置が乗客の異常行動を検知しないときには、前記ＬＥＤ照明部の前記白色ＬＥＤを消灯させ、前記青色ＬＥＤを点灯させるように切り替え、
前記異常行動検知装置が乗客の異常行動を検知したときには、前記ＬＥＤ照明部の前記青色ＬＥＤを消灯させ、前記白色ＬＥＤを点灯させるように切り替えるとともに、
前記かごドアが開いたことを検出した前記エレベータ制御装置からの信号により、前記ＬＥＤ照明部の前記青色ＬＥＤを消灯させ、前記白色ＬＥＤを点灯させるように切り替えることを特徴とするエレベータの乗かご照明装置。
【請求項２】
請求項１に記載のエレベータの乗かご照明装置において、
前記ＬＥＤ照明部は、円環状の基板を有し、
前記基板に、この基板の中心に対してそれぞれ放射状に配置されるように、かつ、交互に配置されるように、前記白色ＬＥＤと前記青色ＬＥＤを設けたことを特徴とするエレベータの乗かご照明装置。
【発明の詳細な説明】
【技術分野】
【０００１】
本発明は、エレベータの乗かご内を照らす複数のＬＥＤを有するＬＥＤ照明部を備えたエレベータの乗かご照明装置に関する。
【背景技術】
【０００２】
エレベータの乗かご内において、乗客が暴れる等の異常行動を起こすと、エレベータの安全な運行に支障をきたす虞がある。そこで、エレベータの乗かご内に設けたカメラの映像信号を記録し、前の画面との比較で乗客の異常行動を検知する異常行動検知装置が、特許文献１に提案されている。
【０００３】
また、特許文献２に、ＬＥＤランプが開示され、この特許文献２には、青色ＬＥＤの青色光は、人間の副交感神経に作用することによる鎮静効果と、心理的に冷静にさせる効果があること、また、赤色やオレンジ色に比べて「プルキンエ効果」により夜間の視認性にすぐれており、犯罪者等に対して「人目を避けたい」とする心理を抱かせる効果があることが示されている。したがって、青色ＬＥＤの青色光は、犯罪抑止力を有するものと考えられる。
【先行技術文献】
【特許文献】
【０００４】
【特許文献１】特開２００９−２６６０５２号公報
【特許文献２】特開２００９−１５１９６７号公報
【発明の概要】
【発明が解決しようとする課題】
【０００５】
特許文献２に示されるように、青色ＬＥＤの青色光は、犯罪抑止力を有するものと考えられことから、エレベータの乗かご内に複数個の青色ＬＥＤを有するＬＥＤ照明部を備えるようにすれば、乗かご内の乗客の異常行動の抑制に有効と考えられる。しかしながら、乗かご内に設けたカメラの映像を記録装置に記録し、その記録映像を乗客の異常行動の証拠として用いようとする場合、色付きの照明すなわち青色ＬＥＤによる照明では、照射対象の乗客の服装等の色彩が現実のものとは異なり、記録映像の証拠能力が著しく低下してしまう問題がある。
【０００６】
本発明は、上述した従来技術における実状からなされたもので、その目的は、乗かご内の乗客の異常行動に対する抑止力を確保できるとともに、乗かご内の状況を記録する記録装置の記録映像の証拠能力を高めることができるエレベータの乗かご照明装置を提供することにある。
【課題を解決するための手段】
【０００７】
前記目的を達成するために、本発明に係るエレベータの乗かご照明装置は、乗かごの停止、走行制御、かごドアの開閉制御を行うエレベータ制御装置を備えたエレベータの乗かごの天井部に設けられ、前記乗かご内を照らす複数個のＬＥＤを有するＬＥＤ照明部を備えたエレベータの乗かご照明装置において、前記ＬＥＤ照明部は、複数個の白色ＬＥＤと、複数個の青色ＬＥＤとを含むものから成り、前記ＬＥＤ照明部の前記白色ＬＥＤと前記青色ＬＥＤとを選択的に切り替えて点灯させる照明光切替装置を備え、前記照明光切替装置は、前記乗かご内に設けたカメラの映像信号から乗客の異常行動を監視する異常行動検知装置が乗客の異常行動を検知しないときには、前記ＬＥＤ照明部の前記白色ＬＥＤを消灯させ、前記青色ＬＥＤを点灯させるように切り替え、前記異常行動検知装置が乗客の異常行動を検知したときには、前記ＬＥＤ照明部の前記青色ＬＥＤを消灯させ、前記白色ＬＥＤを点灯させるように切り替えるとともに、前記かごドアが開いたことを検出した前記エレベータ制御装置からの信号により、前記ＬＥＤ照明部の前記青色ＬＥＤを消灯させ、前記白色ＬＥＤを点灯させるように切り替えることを特徴としている。
【０００８】
このように構成した本発明は、異常行動検知装置が乗かご内の乗客の異常行動を検知しないときには、照明光切替装置によってＬＥＤ照明部の白色ＬＥＤを消灯させ、青色ＬＥＤを点灯させるように切り替えられる。これにより乗かご内は青色ＬＥＤの青色光によって照らされ、乗かご内の乗客の異常行動に対する抑止力を確保できる。また、異常行動検知装置が乗かご内の乗客の異常行動を検知したときには、照明光切替装置によってＬＥＤ照明部の青色ＬＥＤを消灯させ、白色ＬＥＤを点灯させるように切り替えられる。すなわち、乗かご内が青色ＬＥＤの青色光で照らされる状態から白色ＬＥＤの白色光で照らされる状態へと変化する。この照明光の変化により、乗かご内で異常行動を行っている乗客に対して異常行動の停止を促すことができる。またこのとき、乗かご内が自然色すなわち白色ＬＥＤによって照らされている状態において、乗かご内の状況を記録する記録装置で異常行動を行っている乗客を記録するので、その異常行動を行っている乗客の服装等の色彩を現実のままに正確に記録することができる。これにより、記録装置の記録映像の証拠能力を高めることができる。また、本発明は、かごドアが開かれて乗かごに乗客が乗り込む際に、乗かご内が白色ＬＥＤの白色光で照らされているので、乗かごに乗り込む乗客を記録装置で記録するようにすれば、この時点で乗かごの全ての乗客の服装等の色彩を現実のままに正確に常時記録することができる。
【００１０】
また本発明は、前記発明において、前記ＬＥＤ照明部は、円環状の基板を有し、前記基板に、この基板の中心に対してそれぞれ放射状に配置されるように、かつ、交互に配置されるように、前記白色ＬＥＤと前記青色ＬＥＤを設けたことを特徴としている。このように構成した本発明は、基板に白色ＬＥＤと青色ＬＥＤを放射状に、かつ、交互に配置してあることから、白色ＬＥＤを点灯させた場合も、また青色ＬＥＤを点灯させた場合も、乗かご内に光を安定して分散して照らすことができる。
【発明の効果】
【００１１】
本発明は、乗かご内を照らす複数個のＬＥＤを有するＬＥＤ照明部が、複数個の白色ＬＥＤと、複数個の青色ＬＥＤとを含むものから成り、ＬＥＤ照明部の白色ＬＥＤと青色ＬＥＤとを選択的に切り替えて点灯させる照明光切替装置を備え、この照明光切替装置は、乗かご内に設けたカメラの映像信号から乗客の異常行動を監視する異常行動検知装置が乗客の異常行動を検知しないときには、ＬＥＤ照明部の白色ＬＥＤを消灯させ、青色ＬＥＤを点灯させるように切り替え、異常行動検知装置が乗客の異常行動を検知したときには、ＬＥＤ照明部の青色ＬＥＤを消灯させ、白色ＬＥＤを点灯させるように切り替えるようにしてある。すなわち、乗かご内で乗客の異常行動が生じていないときには、乗かご内を青色ＬＥＤの青色光によって照らすことにより、乗かご内の乗客の異常行動に対する抑止力を確保できる。また、乗かご内で乗客の異常行動が生じたときには、乗かご内を白色ＬＥＤの白色光によって照らすことにより、異常行動を行っている乗客の服装等の色彩を現実のままに正確に記録装置によって記録させることができる。これにより、乗かご内の状況を記録する記録装置の記録映像の証拠能力を高めることができ、従来に比べて優れた防犯性能を確保することができる。また、本発明は、かごドアが開いたことを検出したエレベータ制御装置からの信号により、ＬＥＤ照明部の青色ＬＥＤを消灯させ、白色ＬＥＤを点灯させるように切り替えるようにしてある。これにより本発明は、かごドアが開かれて乗かごに乗客が乗り込む際に、乗かご内が白色ＬＥＤの白色光で照らされているので、乗かごに乗り込む乗客を記録装置で記録するようにすれば、この時点で乗かごの全ての乗客の服装等の色彩を現実のままに正確に常時記録することができる。
【図面の簡単な説明】
【００１２】
【図１】本発明に係るエレベータの乗かご照明装置の一実施形態の構成を示す図である。
【図２】本実施形態に備えられるＬＥＤ照明部の構成を示す平面図である。
【図３】本実施形態の動作を示すフローチャートである。
【発明を実施するための形態】
【００１３】
以下、本発明に係るエレベータの乗かご照明装置の実施の形態を図に基づいて説明する。
【００１４】
図１は本発明に係るエレベータの乗かご照明装置の一実施形態の構成を示す図、図２は本実施形態に備えられるＬＥＤ照明部の構成を示す平面図である。
【００１５】
図１に示すように、エレベータの乗かご６には、開閉可能なかごドア６ａが備えられ、この乗かご６内には、乗客８，９を撮影するカメラ５が配置されている。また、乗かご６の天井部６ｂには、本実施形態に備えられる乗かご６内を照らすＬＥＤ照明部７を配置してある。
【００１６】
このＬＥＤ照明部７は、図２に示すように、複数個の白色ＬＥＤ７ａと複数個の青色ＬＥＤ７ｂとを含んでいる。すなわち、このＬＥＤ照明部７は、円環状の基板７ｃと、この基板７ｃに、この基板７ｃの中心に対してそれぞれ放射状に配置され、かつ、交互に配置される白色ＬＥＤ７ａと青色ＬＥＤ７ｂとを有している。
【００１７】
また、本実施形態は、図１に示すように、カメラ５の映像信号を記録する記録装置１と、この記録装置１で記録された乗かご６内の映像を解析して、乗かご６の乗客８，９の異常行動、例えば暴れ、暴行、威嚇、滞留などの異常行動を監視する異常行動検知装置２とを備えている。
【００１８】
また、本実施形態は、図１に示すように、ＬＥＤ照明部７の白色ＬＥＤ７ａと青色ＬＥＤ７ｂとを選択的に切り替えて点灯させる照明光切替装置３を備えている。この照明光切替装置３は、乗かご６内に設けたカメラ５の映像信号から乗客８，９の異常行動を監視する前述した異常行動検知装置３が、乗客８，９の異常行動を検知しないときには、ＬＥＤ照明部７の白色ＬＥＤ７ａを消灯させ、青色ＬＥＤ７ｂを点灯させるように切り替え、また、異常行動検知装置２が乗客８，９の異常行動を検知したときには、ＬＥＤ照明部７の青色ＬＥＤ７ｂを消灯させ、白色ＬＥＤ７ａを点灯させるように切り替えるものである。
【００１９】
さらに、本実施形態は、図１に示すように、乗かご６の停止、走行制御、かごドア６ａの開閉制御等を行うエレベータ制御装置４を備えている。このエレベータ制御装置４によってかごドア６ａが開かれたことが検知されたとき、エレベータ制御装置４から信号が照明光切替装置３に出力され、この照明光切替装置３は、ＬＥＤ照明部７の青色ＬＥＤ７ｂを消灯させ、白色ＬＥＤ７ａを点灯させるように切り替えるようになっている。また逆に、エレベータ制御装置４がかごドア６ａを閉じたことを検知したとき、エレベータ制御装置４から信号が照明光切替装置３に出力され、この照明光切替装置３は、ＬＥＤ照明部７の青色ＬＥＤ７ｂを点灯させ、白色ＬＥＤ７ａを消灯させるように切り替えるようになっている。
【００２０】
図３は本実施形態の動作を示すフローチャートである。
【００２１】
まず、かごドア６ａが開かれて乗客８，９が乗かご６内に乗り込むとき（ステップＡ１）、エレベータ制御装置４からドア開信号を送信された照明光切替装置３は、白色ＬＥＤ７ａを点灯させ、青色ＬＥＤ７ｂを消灯させ、白色光で照らされている乗かご６内において、カメラ５を介して乗客８，９の映像を明瞭に記録装置１へ記録させる処理を行う（ステップＡ２）。
【００２２】
次に、乗客８，９が乗かご６内に乗り込み、かごドア６ａが閉じられ（ステップＡ３）、エレベータ制御装置４からドア閉信号が送出された照明光切替装置３は、白色ＬＥＤ７ａを消灯させ、青色ＬＥＤ７ｂを点灯させる切り替え処理を行う（ステップＡ４）。これにより乗かご６内は青色光で照らされた状態となる。
【００２３】
通常、乗客８あるいは乗客９が、乗かご６内で異常行動を起こさず、乗かご６が他階へ移動中の場合は、白色ＬＥＤ７ａが消灯し、青色ＬＥＤ７ｂが点灯した状態が維持されて乗かご６は運行する（ステップＡ４）。
【００２４】
しかし、例えば乗客９が乗かご６内で乗客８に暴行を加える等の異常行動を起こしたとき（ステップＡ５）異常行動検知装置２がその異常行動を検知し、異常行動検知装置２から異常発生信号を送信された照明光切替装置３は、白色ＬＥＤ７ａを点灯させ、青色ＬＥＤ７ｂを消灯させるように切り替え、白色光で照らされている乗かご６内において、カメラ５を介して乗客９の明瞭な映像を記録装置１に記録させる処理を行う（ステップＡ６）。
【００２５】
次に、乗かご６が行先階に停止し（ステップＡ７）、乗客８，９が乗かご６内から降り、他階へのかご呼び命令が無く（ステップＡ８）、かごドア６ａが閉じられ（ステップＡ９）、所定時間、例えば１０秒が経過したとき（ステップＡ１０）、この１０秒を計測していたエレベータ制御装置４から照明光切替装置３に信号が送られ、この照明光切替装置３は、白色ＬＥＤ７ａと青色ＬＥＤ７ｂを共に消灯させるように切り替える処理を行う（ステップＡ１１）。
【００２６】
このように構成した本実施形態に係るエレベータの乗かご照明装置によれば、異常行動検知装置２が乗かご６内の乗客９の異常行動を検知しないときには、照明光切替装置３によってＬＥＤ照明部７の白色ＬＥＤ７ａを消灯させ、青色ＬＥＤ７ｂを点灯させるように切り替えられる。これにより乗かご６内は青色ＬＥＤ７ｂの青色光によって照らされ、乗かご６内の乗客９の異常行動に対する抑止力を確保できる。すなわち、前述したように、青色ＬＥＤ７ｂの青色光は、人間の副交感神経に作用することによる鎮静効果と、心理的に冷静にさせる効果があること、また、赤色やオレンジ色に比べて「プルキンエ効果」により夜間の視認性にすぐれており、犯罪者等に対して「人目を避けたい」とする心理を抱かせる効果がある。
【００２７】
また、異常行動検知装置２が乗かご６内の乗客９の異常行動を検知したときには、照明光切替装置３によってＬＥＤ照明部７の青色ＬＥＤ７ｂを消灯させ、白色ＬＥＤ７ａを点灯させるように切り替えられる。すなわち、乗かご６内が青色ＬＥＤ７ｂで照らされる状態から白色ＬＥＤ７ａに照らされる状態へと変化する。このとき、乗かご６内が自然色すなわち白色ＬＥＤ７ａの白色光によって照らされている状態において、乗かご６内の状況を記録する記録装置１で異常行動を行っている乗客９を記録するので、その異常行動を行っている乗客９の服装等の色彩を現実のままに正確に記録することができる。これにより、記録装置１の記録映像の証拠能力を高めることができ、優れた防犯性能を確保することができる。また、乗かご６内で異常行動を行っている乗客９に対して、照明光が変化することによって、異常行動の躊躇や停止することが期待できる。
【００２８】
また本実施形態によれば、照明光切替装置３は、かごドア６ａが開いたときに、ＬＥＤ照明部７の青色ＬＥＤ７ｂを消灯させ、白色ＬＥＤ７ａを点灯させるように切り替えるので、かごドア６ａが開かれて乗かご６に乗客８，９が乗り込む際に、乗かご６内が白色ＬＥＤ７ａの白色光で照らされる。したがって、乗かご６に乗り込む乗客８，９をカメラ５を介して記録装置１で記録するようにすれば、この時点で乗かご６の乗客８，９の服装等の色彩を現実のままに正確に記録することができ、記録装置１の記録映像の証拠能力を高めることに貢献する。
【００２９】
また本実施形態によれば、ＬＥＤ照明部７は、円環状の基板７ｃを有し、この基板７ｃに、この基板７ｃの中心に対してそれぞれ放射状に配置されるように、かつ、交互に配置されるように、白色ＬＥＤ７ａと青色ＬＥＤ７ｂを設けたことから、白色ＬＥＤ７ａを点灯させた場合も、また青色ＬＥＤ７ｂを点灯させた場合も、乗かご６内に光を安定して分散して照らすことができ、乗かご６内の優れた照明の確保に貢献する。
【符号の説明】
【００３０】
１    記録装置
２    異常行動検知装置
３    照明光切替装置
４    エレベータ制御装置
５    カメラ
６    乗かご
６ａ  かごドア
６ｂ  天井部
７    ＬＥＤ照明部
７ａ  白色ＬＥＤ
７ｂ  青色ＬＥＤ
７ｃ  基板
８    乗客
９    乗客
【図１】
0005514680.tif 000002
【図２】
0005514680.tif 000003
【図３】
0005514680.tif 000004